(57)【要約】      （修正有）【課題】掛布団カバーを取り替える際、介護施設等での取り違えの発生を防止する掛布団カバーを提供する。【解決手段】掛カバー表面布１の上端面に設けたオープンファスナー上止８と掛カバー身体面布の上端面に設けたオープンファスナー上止と襟カバー布３下端面に設けたオープンファスナー下止９とを、スライダーを移動させることにより掛カバー表面布１と掛カバー身体面布とに襟カバー布３が一体的に繋がれるようにする。襟カバー布３の内面に掛布団を固定するスナップＡ６，Ａ７，Ａ８を縫着固定する。又、掛布団は、スナップＡ６，Ａ７，Ａ８によって襟カバー布３に固定する。掛カバー身体面布中央にラベルが、襟カバー布３内部に別のラベルＢ２を縫着固定し、ラベルＢ２等に油性ペン等で氏名等を記入する。【選択図】図３
0003166043.tif 000002
【実用新案登録請求の範囲】
【請求項１】
掛カバー身体面布に掛布団を乗せ、掛カバー表面布を被せ、掛カバー表面布の上端部に設けたオープンファスナー上止および掛カバー身体面布の上端部に設けたオープンファスナー上止から、掛カバー表面布の下端部に設けたオープンファスナー下止および掛カバー身体面布の下端部に設けたオープンファスナー下止に向かって移動するスライダーを備えた掛カバーであって、掛布団を固定するスナップを掛カバーに複数個配置された掛布団カバー。
【請求項２】
請求項１記載の掛カバーにおいて、
掛カバー表面布の上端面に設けたオープンファスナーと襟カバー布下端面に設けたオープンファスナーとを繋ぐスライダーを備えた、掛布団カバー。
【請求項３】
請求項2記載の掛カバーにおいて、掛布団を固定するスナップを襟カバーに複数個配設された。掛布団カバー。
【請求項４】
請求項１及至請求項3のいずれか１項に記載の掛カバーにおいて、掛カバー身体面布および襟カバー布内部にラベルが一体に形成されることを特徴とする掛布団カバー。
【考案の詳細な説明】
【技術分野】
【０００１】
本考案は、掛布団の掛カバーと襟カバーが分離出来る掛布団カバーに関する。
【背景技術】
【０００２】
従来、この種の掛カバーとして、特許文献1に記載のものが知られている。この掛布団カバーは、2つのファスナーを開くことに依って１枚の布になり、掛け布団カバー表面が大きく開き、出し入れを容易にする構成と、スナップ２個で着脱できるようにしている。
【先行技術文献】
【特許文献】
【０００３】
【特許文献１】特開2004-337560号公報
【考案の概要】
【考案が解決しようとする課題】
【０００４】
しかしながら、上記従来の掛布団カバーでは、介護施設等での多人数の洗濯の際、取り違える等の問題があった。
【０００５】
本考案は、上述の事情に鑑みてなされたもので、取り違えの発生を防止する掛布団カバーを提供することを課題とする。
【課題を解決するための手段】
【０００６】
本考案に係る掛布団カバーは、掛カバー身体面布に掛布団をのせ、掛カバー表面布を被せ、掛カバー表面布の上端部に設けたオープンファスナー上止および掛カバー身体面布の上端部に設けたオープンファスナー上止から、掛カバー表面布の下端部に設けたオープンファスナー下止および掛カバー身体面布の下端部に設けたオープンファスナー下止に向かって移動するスライダーを備えた掛カバーであって、掛布団を固定するスナップを掛カバーに複数個配設されたものである。
【０００７】
上記構成によれば、掛カバーの取替を容易に行うことが出来ると共に、掛布団が掛カバー内での移動を防止することが出来、安眠しやすくなる。
【０００８】
上記掛布団カバーにおいて、掛カバー表面布の上端面に設けたオープンファスナーと、襟カバー下端面に設けたオープンファスナーとを繋ぐスライダーを備えたことを特徴とする。
【０００９】
本考案によれば比較的汚れが発生しやすい襟カバーのみを掛カバーから分離し、洗濯することが出来るので衛生的である。
【００１０】
また、掛布団を固定するスナップを襟カバーに複数個配置しているので、襟カバーが安定した状態で掛布団に固定されるので違和感なく睡眠出来る。
【００１１】
襟カバー布内部および掛カバー身体面布にラベルが１体に形成されたものである。
【００１２】
そのため、介護施設等において多人数分の襟カバーを洗濯した場合等、ラベルに使用者の氏名を油性ペンで記入しておけるので、取違いの発生を防止出来衛生的で安心して使用することが出来る。
【図面の簡単な説明】
【００１３】
【図１】本考案の掛布団カバーの各ファスナーを開放した状態を示す平面図。
【図２】本考案の掛けカバーを閉じる状態をした示した平面図。
【図３】本考案の掛カバーと襟カバーを分離した状態を示す斜視図。
【図４】本考案の掛カバーと襟カバーを取り付け状態を示す平面図。
【図５】本考案の掛布団カバーの使用状態を示す平面図。
【考案を実施するための形態】
【００１４】
図1〜図5を参照して、1は掛カバー表面布を示している。この掛カバー表面布1の上端部にはオープンファスナーの上止7が設けられている。そして掛カバー身体面布2の上端部にはオープンファスナーの上止4が設けられている。掛カバー表面布1の下端部にはオープンファスナーの下止6と、掛カバー身体面布2の下端部にはオーブンファスナーの下止5が設けられている。
【００１５】
掛けカバー表面布1と掛カバー身体面布2に設けられたオープンファスナー上止7,4からオープンファスナー下止5,6に向かって図示しないスライダーを移動させることにより掛布団がカバーされる。
【００１６】
掛カバー身体面布2に掛布団10を固定するスナップA1、A2、A3、A4、A5を縫着固定されている。掛布団10はスナップA1,A2,A4,A5によって掛カバー身体面2に固定される。
【００１７】
掛カバー表面布1の上端面に設けたオープンファスナー上止8と掛カバー身体面布2の上端面に設けたオープンファスナー上止8‘と襟カバー布３下端面に設けたオープンファスナー下止9、9’とをスライダーを移動させることにより掛カバー表面布1と掛カバー身体面布2とに襟カバー布3が一体的に繋がれるようにしている。
【００１８】
襟カバー布3の内面に掛布団10を固定するスナップA6,A7,A8を縫着固定されている。掛布団10はスナップA6,A7,A8によって襟カバー布3に固定される。
【００１９】
掛カバー身体面布2中央にラベルB1が、襟カバー布３内部にラベルB2を縫着固定されている。ラベルB1,B2に油性ペン等で氏名等を記入することが出来る。
【００２０】
以上、本考案の実施態様について図面を参照して説明したが、本考案はこれに限定されない。例えば上記実施形態では、掛カバー表面布1と、掛カバー身体面布2と、襟カバー布3とをオープンファスナーで停止したが、面ファスナーやボタン、ホックで構成することも可能である。
【００２１】
襟カバー布3を汚れ難い加工を施することやビニール系素材とし、水濡れ後の手入れを考慮した対策を施すことも可能である。
【符号の説明】
【００２２】
1  掛カバー表面布
2  掛カバー身体面布
3  襟カバー布
4  オープンファスナー上止（始点）
5  オープンファスナー下止（終点）
6  オープンファスナー上止
7  オープンファスナー下止
8  オープンファスナー上止
8’  オープンファスナー下止
9  オープンファスナー（襟カバー）上止
9’  オープンファスナー（襟カバー）下止
10  掛布団
A1〜A5  掛布団との装着具スナップ（掛カバー本体）
A6〜A8  掛布団との装着具スナップ（襟カバー）
B1  ラベル（掛カバー本体）
B2  ラベル（襟カバー）
【図１】
0003166043.tif 000003
【図２】
0003166043.tif 000004
【図３】
0003166043.tif 000005
【図４】
0003166043.tif 000006
【図５】
0003166043.tif 000007